(57)【要約】【課題】一見、一般の衣服と同じものでありながら、ボタンの留め間違いが起こりにくく、また高齢者や身体障害者など、手指の動作に不具合のある人でもボタンの掛け留めが容易にできる衣服を提供する。【解決手段】明き部分を留め具を用いて複数箇所で掛け留めて着用する仕様の衣服であって、明き部分に沿って設置される留め具が、異種の複数のの留め具を使用し、かつ隣り合う留め具どうしが異種のものとなるように配置されたものを含むことを特徴とする衣服。【選択図】図２
2004137616.tif 000002
【特許請求の範囲】
【請求項１】
明き部分を留め具を用いて複数箇所で掛け留めて着用する仕様の衣服であって、明き部分に沿って設置される留め具が、異種の複数の留め具を使用し、かつ隣り合う留め具どうしが異種のものとなるように配置されたものを含むことを特徴とする衣服。
【請求項２】
明き部分を有する衣服であって、下前身頃側に設置された一方の留め具を有する部材と、下前身頃生地または下前身頃生地と一体に設けられた部材との間に、指を差し込むための挿入部を形成し、かつ上前身頃側に設置された上記一方の留め具に対応する他方の留め具を有する部材と、上前身頃生地または上前身頃生地と一体に設けられた部材との間に指を差し込むための挿入部を形成したことを特徴とする請求項１に記載の衣服。
【請求項３】
明き部分を有する衣服であって、下前身頃側に設置された一方の留め具を有する部材と、下前身頃生地または下前身頃生地と一体に設けられた部材との間に、指を差し込むための挿入部を形成し、かつ上前身頃側に設置された他方の留め具を有する部材と、前立て生地または前立て生地と一体に設けられた部材との間に指を差し込むための挿入部を形成したことを特徴とする請求項１に記載の衣服。
【請求項４】
上前身頃生地と下前身頃生地が重なり合う部分の中で、最も表側に位置する部材に飾りの留め具を設置してなることを特徴とする請求項１〜３のいずれかに記載の衣服。
【発明の詳細な説明】
【０００１】
【発明の属する技術分野】
本発明は、明き部分を有するデザインの衣服に関するものである。
【０００２】
【従来の技術】
従来、明き部分を有する衣服は、明き部分に設置されたボタンやファスナーといった留め具を掛け留めて着用することが一般的である。デザインや着用者の好みによっては明き部分を解放させたまま着用する場合もあるが、一般的に衣服着用後の美しさや機能性を満たすためには明き部分の留め具を掛け留める必要がある。ところが、上述した留め具は、手先が不器用な子供や手指の動作に何らかの不具合がある者にとっては、非常に扱いにくいものであった。
【０００３】
これらの問題を解決するため、下前見頃側の留め具の固定部分に手指を差し込める挿入部を形成することにより、片手でも雄雌一対のスナップボタンを留めることができる衣服が提案されている（例えば、特許文献１、特許文献２参照）。
【０００４】
また同様の考え方で、テープ状の取り付け布に雄雌いずれか一方スナップボタンを取り付け、当該取り付け布の上部と下部を下前身頃に縫い付けることにより、当該取り付け布と下前身頃との間に手指を差し込める挿入部を容易に形成することができる衣服が提案されている（例えば、特許文献３参照）。
【０００５】
しかしながら、上述した提案の衣服を含めて従来の衣服では、手指動作の不具合の有無に係わらず留め具の留め間違いというミスが起こりやすいものであった。留め具の留め間違いは、複数の留め具を留めた後で気付くことが多く、手先が不器用な子供や手指の動作に何らかの不具合がある者にとっては、やり直しに非常に長い時間と労力を必要とし、大変不便なものであった。
【０００６】
また、上述した提案の衣服は、片手で雄雌一対のスナップボタンを留めようとしたとき、スナップボタンを手指で摘む動作を容易に行うことができるものの、スナップボタンどおしの位置を合わせる動作が難しかった。すなわち、手指を差し込める挿入部を形成した側の雄雌いずれか一方の留め具は、差し込んだ手指を上下左右に動かすことで雄雌いずれか他方のスナップボタンまである程度の位置合わせをすることができるものの、手指を差し込める挿入部を形成していない側の雄雌いずれか他方の留め具は、位置合わせをすることが難しく、位置を調整するために留め具そのものを摘むか、もしくは留め具を固定した部材を摘む必要があり、必ずしも片手で容易に雄雌一対のスナップボタンを留めることができるものではなかった。
【０００７】
さらにまた、上述した提案の衣服は、スナップボタンが衣服の表側から見える構造であるため、一見して特別な仕様の衣服であるとわかり、一般の衣服と見た目が変わりないものが望まれている高齢者や身体障害者向けの衣服としては満足のいくものではなかった。すなわち、衣服の明き部分の留め具として最もよく用いられているものは、ボタン穴にボタンをくぐらせて掛け留めるタイプの打ち抜きボタンの仕様であり、上述した提案の衣服の外観と異なるため、一般の衣服と同じデザインを求める声に答えることができなかった。
【０００８】
【特許文献１】
実開昭５８−１６８５１９号公報
【０００９】
【特許文献２】
特開２０００−１７３８１０号公報
【００１０】
【特許文献３】
実用新案登録第２５５３５５３号公報
【００１１】
【発明が解決しようとする課題】
本発明の目的は、上記の従来技術の問題点を解決することにあり、留め具の留め間違いが起こりにくく、手指の動作に不具合のある人でも容易にスナップボタンなどの留め具を留めることができ、さらには、一般の衣服と見た目が同じで違和感のない衣服を提供することにある。
【００１２】
【課題を解決するための手段】
上記の課題を解決するための本発明は、明き部分を留め具を用いて複数箇所で掛け留めて着用する仕様の衣服であって、明き部分に沿って設置される留め具が、異種の複数のの留め具を使用し、かつ隣り合う留め具どうしが異種のものとなるように配置されたものを含むことを特徴とする。
【００１３】
この場合、下前身頃側に設置された一方の留め具を有する部材と、下前身頃生地または下前身頃生地と一体に設けられた部材との間に、指を差し込むための挿入部を形成し、かつ上前身頃側に設置された上記一方の留め具に対応する他方の留め具を有する部材と、上前身頃生地または上前身頃生地と一体に設けられた部材との間に指を差し込むための挿入部を形成することが好ましい。
【００１４】
あるいは、下前身頃側に設置された一方の留め具を有する部材と、下前身頃生地または下前身頃生地と一体に設けられた部材との間に、指を差し込むための挿入部を形成し、かつ上前身頃側に設置された他方の留め具を有する部材と、前立て生地または前立て生地と一体に設けられた部材との間に指を差し込むための挿入部を形成することが好ましい。
【００１５】
さらに、本発明は、明き部分を構成する部材の中で、最も表側に位置し、表側から見える部材に飾りの留め具を設置することが好ましい。
【００１６】
【発明の実施の形態】
以下、図面に示す実施例に基づいて本発明をさらに詳しく説明する。
【００１７】
図１は本発明の衣服の形態の一例を示す概略外観図であり、図２、図３は本発明の衣服のより好ましい形態を示す概略外観図である。
【００１８】
本発明は、図１に示すように、衣服の前明き部分１に沿って設置される留め具２は、異種の複数の留め具Ｂ１０、Ｂ１１を使用し、かつ隣り合う留め具どうしが異種のものとなるように配置されたものを含むことが重要である。異種の留め具としては、留め具どうしがかみ合わないものであることが重要である。通常、外見が同じものであっても、かみ合う部分となる凸部分、または凹部分の形状や大きさ、あるいは、かみ合わせの機構が異なることで、留め具どうしはかみ合わないものとなる。
【００１９】
図１の例ではかみ合う部分が丸形状のものと８角形状のものとが交互に配列された例を示している。そうすることにより、留め具の留め間違いが起こりそうになった場合でも、留め具がかみ合わない、ことで、複数の留め具を留め間違える前に気付くことができるようになる。留め具は、それぞれがかみ合わない３種類以上の留め具であっても良いが、図１に示すように、２種類のかみ合わない留め具を交互に配置するだけで十分である。また、留め具は、明き部分に沿って配置されるそれらのすべてにおいて、隣り合う留め具どうしが異種のものとなるように配置されている必要はない。
【００２０】
留め具としては、打ち抜きボタン、スナップボタン、スライドファスナー、面ファスナー、ホックなどの留め具が考えられる。これらは、かみ合わせの機構の異なる留め具であるため、それぞれはかみ合わない留め具であることはいうまでもない。同じ機構のものであっても、かみ合う部分となる凸部分、または凹部分の形状や大きさが異なる組み合わせとしては、打ち抜きボタンどうしであれば、例えば、ボタンの大きさと、ボタンホールの大きさが異なり、ボタンがボタンホールにくぐらないものである。また、スナップボタンどうしであれば、例えば、同じ丸形状のかみ合わせ部分であっても、雄ボタンの凸部分の大きさと、雌ボタンの凹部部分の大きさが異なり、凸部が凹部に入らなかったり、ぶかぶかだったりするものである。さらに、スライドファスナーどうしであれば、エレメントの形状や大きさが大きく異なり、連続した凹凸がかみ合わないものである。本発明においては、スナップボタンどうしで、かみ合わない組み合わせの留め具が最も適当である。
【００２１】
また、本発明は、図２に示すように、下前身頃側に設置された雄雌いずれか一方の留め具Ｂ４およびＢ５を固定した生地部材３と下前身頃生地Ｆ３との間、または生地部材３と下前身頃生地Ｆ３と一体に設けられた生地部材との間に、下前身頃の中程から前明き部分となる生地端の方向に向かって手指を差し込むための挿入部Ａ２を形成し、かつ上前身頃側に設置された上記一方の留め具Ｂ４およびＢ５に対応する雄雌いずれか他方の留め具Ｂ１およびＢ２を固定した生地部材４と上前身頃生地Ｆ１との間、または生地部材４と上前身頃生地Ｆ１と一体に設けられた生地部材との間に、前明き部分となる生地端から上前身頃の中程の方向に向かって手指を差し込むための挿入部Ａ１を形成することが好ましい。そうすることにより、当該挿入部Ａ１および挿入部Ａ２に手指を差込んだ状態で手指を動かすことで、留め具の位置合わせと、挟み留める動作が片手でも容易に行なうことができる。
【００２２】
生地部材３としては、下前身頃生地を折り返したものであってもよいし、下前身頃生地とは別の生地であってもよい。また、生地部材４としては、上前身頃生地、あるいは上前身頃生地を折り返したものであってもよいし、上前身頃生地とは別の生地であってもよい。
【００２３】
あるいは、本発明は、図３に示すように、下前身頃側に設置された雄雌いずれか一方の留め具Ｂ４およびＢ５を固定した生地部材３と下前身頃生地Ｆ３との間、または生地部材３と下前身頃生地Ｆ３と一体に設けられた生地部材との間に、下前身頃の中程から前明き部分となる生地端の方向に向かって手指を差し込むための挿入部Ａ４を形成し、かつ上前身頃側に設置された上記一方の留め具Ｂ４およびＢ５に対応する雄雌いずれか他方の留め具Ｂ６およびＢ７を有する生地部材と前立て生地Ｆ５との間、または留め具Ｂ６およびＢ７を有する生地部材と前立て生地Ｆ５と一体に設けられた生地部材との間に、上前身頃の中程から前明き部分となる生地端の方向に向かって手指を差し込むための挿入部Ａ３を形成することが好ましい。そうすることにより、片手の手指で留め具を挟み留める動作をすることが難しい人でも、両手のそれぞれ一本づつの手指を、当該挿入部Ａ３および挿入部Ａ４に差し込んだ状態で、手指を動かすことで、留め具の位置あわせと挟み留める動作が容易に行うことができる。
【００２４】
生地部材３としては、下前身頃生地を折り返すしたものであってもよいし、下前身頃生地とは別の生地であってもよい。
【００２５】
また、留め具Ｂ６およびＢ７を有する生地部材としては、上前身頃生地、あるいは上前身頃生地を折り返したものであってもよいし、上前身頃生地とは別の生地であってもよい。
【００２６】
本発明において、生地部材３、４、下前身頃生地Ｆ３と一体に設けられた生地部材、上前身頃生地Ｆ１あるいはＦ４と一体に設けられた生地部材、前立て生地Ｆ５と一体に設けられた生地部材、留め具Ｂ６およびＢ７を有する生地部材としては、織物、編物、不織布などの布帛の他、皮革、フィルムなどのシート状物などが適用できる。
【００２７】
手指を差し込む挿入部の幅は、好ましくは、３〜７ｃｍ、より好ましくは４〜６ｃｍであると良い。挿入部の幅が大きすぎると、相対する留め具同士の位置合わせをしようとして、挿入部に差し込んだ手指を動かしても、挿入部の中で手指が動くだけで、留め具の位置を調整することが難しくなり好ましくない。一方、挿入部の幅が小さすぎると、挿入部に手指を差し込むことが難しくなり好ましくない。
【００２８】
さらに、本発明は、図２または図３に示すように、明き部分を構成する生地部材の中で、最も表側に位置する生地部材に飾りの留め具を設置することが好ましい。そうすることにより、本発明のように、片手あるいは両手の一部の手指だけで留め具が留められる特別な構造であっても、一見してそれとわからず、周囲と違和感のない衣服を得ることができる。飾りボタンは、一見してそれとわからないことが重要であるため、飾りボタン以外の見える部分、例えば、打ち抜きボタンのボタンホールなども飾りとして設置すると良い。また、カジュアルなデザインの衣服の場合、第１ボタンや他の一部のボタンを外して着用することがあるが、この場合、外すボタンの部分を飾りボタンの本来の仕様で構成すると良い。そうすることにより、ボタンを外した部分を見ても本発明の仕様が見えないため、違和感のない衣服を得ることができる。
【００２９】
本発明の衣服は、当然のことながら、これら本発明の衣服の留め具を、従来の衣服のように両手で留めようとしても何ら問題ない。
【００３０】
【実施例】
〔実施例１〕
本発明の実施例１の上前身頃は、図４に示すように、ベース部分として、上前身頃生地Ｆ１の前明き部分となる生地端に沿って、当該上前身頃生地Ｆ１の表面に補強芯地Ｉ１を接着した状態で折り返した。次いで折り返した部分の中央付近に、２種類のスナップボタンの雌ボタンＢ１およびＢ２を、前明き部分となる生地端に沿って交互に配置し取り付けた。
【００３１】
一方、前立て部分として、前立て生地Ｆ２に生地端から１ｃｍ程度の余裕をもって前立て芯地Ｉ２を接着した状態で、前明き部分となる生地端に沿って、飾りとなる打ち抜きボタンＢ３を上記した雌ボタンと同じ間隔に配置し、縫着した。
【００３２】
次いで、上記した上前身頃生地Ｆ１の折り返し部分と前立て生地Ｆ２が重なり合うように配置し、地縫い線Ｓ１で縫着した。さらに、上記した雌ボタン同士の間を、指が差し込める挿入部を形成するためにコの字型の縫い線Ｓ２で縫着した。このとき、当該挿入部の幅Ｗ１は、５ｃｍとした。次いで、前立て生地Ｆ２に接着した前立て芯地Ｉ２の生地端Ｌ１で前立て生地Ｆ２を折り返し、上前身頃生地Ｆ１との重なり部分に覆いかぶせた。その状態を図５に示す。覆い被せた前立て生地Ｆ２を上前身頃生地Ｆ１に固定させるため、縫い線Ｓ３およびＳ４で縫着した。このとき、前開きの側となる縫い線Ｓ４は、既に形成した指を差し込める挿入部の開口部を塞がないように、前立て生地Ｆ２と前立て芯地Ｉ２のみ縫着した。
【００３３】
本発明の実施例１の下前身頃は、図６に示すように、下前身頃生地Ｆ３の前明き部分となる生地端に沿って、生地端から２．５ｃｍ程度の余裕をもって当該下前身頃生地Ｆ３の表面に補強芯地Ｉ３を接着した状態で折り返した。次いで折り返した部分の中央付近に、上前身頃側に設置された２種類のスナップボタン（雌ボタン）に対応する雄ボタンＢ４およびＢ５を、前明き部分となる生地端に沿って上記の雌ボタンと対応する位置に配置し取り付けた。次いで、上記した下前身頃生地Ｆ３の折り返し部分を固定するため、地縫い線Ｓ５で縫着した。さらに、上記した雄ボタン同士の間を、指が差し込める挿入部を形成するためにコの字型の縫い線Ｓ６で縫着した。このとき、当該挿入部の幅Ｗ２は、５ｃｍとした。
【００３４】
〔実施例２〕
本発明の実施例２の上前身頃は、図７に示すように、ベース部分として、上前身頃生地Ｆ４の前明き部分となる生地端に沿って、１ｃｍ程度の余裕をもって当該上前身頃生地Ｆ４の表面に補強芯地Ｉ４を接着した。次いで当該補強芯地Ｉ４の部分の中央付近に、２種類のスナップボタンの雌ボタンＢ６およびＢ７を、前明き部分となる生地端に沿って交互に配置し取り付けた。
【００３５】
一方、前立て部分として、前立て生地Ｆ５に生地端から１ｃｍ程度の余裕をもって前立て芯地Ｉ５を接着した状態で、前明き部分となる生地端に沿って、飾りとなる打ち抜きボタンＢ８を上記した雌ボタンと同じ間隔に配置し、縫着した。
【００３６】
次いで、上記した上前身頃生地Ｆ４に接着された補強芯地Ｉ４の部分と、前立て生地Ｆ５が重なり合うように配置し、地縫い線Ｓ７で縫着した。さらに、上記した雌ボタン同士の間を、指が差し込める挿入部を形成するためにコの字型の縫い線Ｓ８で縫着した。このとき、当該挿入部の幅Ｗ３は５ｃｍとした。次いで、前立て生地Ｆ５に接着した前立て芯地Ｉ５の生地端Ｌ２で前立て生地を折り返し、上前身頃生地Ｆ４との重なり部分に覆いかぶせた。その状態を図８に示す。覆い被せた前立て生地を上前身頃生地Ｆ４に固定させるため、縫い線Ｓ９およびＳ１０で縫着した。このとき、縫い線Ｓ９は、既に形成した指を差し込める挿入部の開口部を塞がないように、前立て生地Ｆ５と前立て芯地Ｉ５のみ縫着した。
【００３７】
本発明の実施例２の下前身頃は、上述した本発明の実施例１と同じ構成とした。
【００３８】
［比較例］
本発明の比較例の上前身頃は、図９に示すように、前明き部分となる生地端に沿って、１種類のスナップボタンの雌ボタンＢ９を取り付けた。
【００３９】
一方、本発明の比較例の下前身頃は、上述した本発明の実施例１と同じ構成とした。
【００４０】
本発明の実施例および比較例を実際に着用し、着用評価を行った。着用評価は、両手指の動作に不具合がある人を想定し、両手指の人差し指と親指以外の指を粘着テープで揃えて固定した状態で衣服の着脱性を評価した。評価項目および判定基準としては、ボタンの留め間違いのわかり易さについて、分かりやすいものを○、分かりにくいものを△、分からないものを×とした。また相対する雄雌ボタンの位置あわせのしやすさ、および相対する雄雌ボタンの摘み留めやすさについて、しやすいものを○、しにくいものを△、出来ないものを×とした。さらに、見た目の良さについて、違和感のないものを○、やや違和感を感じるものを△、著しく違和感を感じるものを×とした。
得られた実施例および比較例について着用評価を実施し、その結果を表１に示した。
【００４１】
【表１】
2004137616.tif 000003
【００４２】
表１から明らかなように、本発明の実施例１および２は、いずれの評価項目においても従来の技術（比較例）と比べて優れた評価を得た。
【００４３】
【発明の効果】
本発明の衣服により、一見、一般の衣服と同じものでありながら、ボタンの留め間違いが起こりにくく、また高齢者や身体障害者など、手指の動作に不具合のある人でもボタンの掛け留めが容易にできる衣服が得られる。
【図面の簡単な説明】
【図１】本発明の衣服の形態の一例を示す概略外観図である。
【図２】本発明の衣服のより好ましい形態（本発明の実施例１の形態）を示す概略外観図である。
【図３】本発明の衣服のより好ましい形態（本発明の実施例２の形態）を示す概略外観図である。
【図４】本発明の実施例１の上前身頃（前明き部分）の展開図である。
【図５】本発明の実施例１の上前身頃（前明き部分）の形態図である。
【図６】本発明の実施例および比較例の下前身頃（前明き部分）の形態図である。
【図７】本発明の実施例２の上前身頃（前明き部分）の展開図である。
【図８】本発明の実施例２の上前身頃（前明き部分）の形態図である。
【図９】本発明の比較例の上前身頃（前開き部分）の形態図である。
【符号の説明】
１：前明き部分
２：留め具
３、４：生地部材
Ａ１：上前身頃の挿入部
Ａ２：下前身頃の挿入部
Ａ３：上前身頃の挿入部
Ａ４：下前身頃の挿入部
Ｆ１：上前身頃生地
Ｆ２：前立て生地
Ｆ３：下前身頃生地
Ｆ４：上前身頃生地
Ｆ５：前立て生地
Ｆ６：上前身頃生地
Ｉ１：上前身頃の補強芯地
Ｉ２：前立て芯地
Ｉ３：下前身頃の補強芯地
Ｉ４：上前立ての補強芯地
Ｉ５：前立て芯地
Ｂ１：雌ボタンＡ
Ｂ２：雌ボタンＢ
Ｂ３：飾りボタン
Ｂ４：雄ボタンＡ
Ｂ５：雄ボタンＢ
Ｂ６：雌ボタンＡ
Ｂ７：雌ボタンＢ
Ｂ８：飾りボタン
Ｂ９：雌ボタン
Ｂ１０：ボタンＡ
Ｂ１１：ボタンＢ
Ｓ１：前立てと上前身頃との縫着線
Ｓ２：挿入部を形成する縫着線
Ｓ３：前立てステッチ
Ｓ４：前立てステッチ
Ｓ５：下前身頃の縫着線
Ｓ６：挿入部を形成する縫着線
Ｓ７：前立てと上前身頃との縫着線
Ｓ８：挿入部を形成する縫着線
Ｓ９：前立てステッチ
Ｓ１０：前立てステッチ
Ｗ１：挿入部の開口幅
Ｗ２：挿入部の開口幅
Ｗ３：挿入部の開口幅
【図１】
2004137616.tif 000004
【図２】
2004137616.tif 000005
【図３】
2004137616.tif 000006
【図４】
2004137616.tif 000007
【図５】
2004137616.tif 000008
【図６】
2004137616.tif 000009
【図７】
2004137616.tif 000010
【図８】
2004137616.tif 000011
【図９】
2004137616.tif 000012